(57)【要約】【課題】  原稿から画像データを取得して、画像データを印刷又は送信する画像形成装置（例えば複合機や融合機）に関して、画像出力条件を設定する操作を簡単化すること。【解決手段】  原稿をセットするための原稿セット手段と、前記原稿から画像データを取得する画像入力手段と、前記画像データを印刷又は送信する画像出力手段とを備える画像形成装置において、前記原稿セット手段にセットされた各原稿から前記画像入力手段により取得された各画像データについて、一の画像データが制御用画像データである場合、当該制御用画像データに対応する画像出力条件に従って、他の画像データを前記画像出力手段により印刷又は送信するように構成する。【選択図】    図３
2004242295.tif 000002
【特許請求の範囲】
【請求項１】
原稿をセットするための原稿セット手段と、前記原稿から画像データを取得する画像入力手段と、前記画像データを印刷又は送信する画像出力手段とを備える画像形成装置において、
前記原稿セット手段にセットされた複数の原稿から前記画像入力手段により取得された各画像データについて、一の画像データが制御用画像データである場合、当該制御用画像データに対応する画像出力条件に従って、他の画像データを前記画像出力手段により印刷又は送信することを特徴とする画像形成装置。
【請求項２】
前記原稿セット手段にセットされた前記複数の原稿は、前記原稿セット手段に同時にセットされたものである請求項１に記載の画像形成装置。
【請求項３】
前記複数の原稿から取得された各画像データのうち、１番目に取得された画像データが前記制御用画像データである場合、当該制御用画像データに対応する画像出力条件に従って、２番目以降に取得された画像データを前記画像出力手段により印刷又は送信する請求項１又は２に記載の画像形成装置。
【請求項４】
画像出力条件を保持する制御用ファイルを蓄積するための制御用ファイル蓄積手段をさらに備え、
前記一の画像データが前記制御用画像データである場合、当該制御用画像データに対応する前記制御用ファイルを前記制御用ファイル蓄積手段から取得し、当該制御用ファイルに保持された画像出力条件に従って、他の画像データを前記画像出力手段により印刷又は送信する請求項１又は２に記載の画像形成装置。
【請求項５】
画像出力条件を保持する制御用ファイルを蓄積するための制御用ファイル蓄積手段をさらに備え、
前記１番目に取得された画像データが制御用画像データである場合、当該制御用画像データに対応する前記制御用ファイルを前記制御用ファイル蓄積手段から取得し、当該制御用ファイルに保持された画像出力条件に従って、２番目以降に取得された画像データを前記画像出力手段により印刷又は送信する請求項３に記載の画像形成装置。
【請求項６】
前記制御用画像データはユーザコードを含み、前記制御用画像データに含まれるユーザコードと、前記制御用画像データとは別に前記画像形成装置に入力されたユーザコードとが一致した場合に、前記画像出力条件に基づく画像データの印刷又は送信を行う請求項１ないし３のうちいずれか１項に記載の画像形成装置。
【請求項７】
前記制御用ファイルはユーザコードを含み、前記制御用ファイルに含まれるユーザコードと、前記制御用ファイルとは別に前記画像形成装置に入力されたユーザコードとが一致した場合に、前記画像出力条件に基づく画像データの印刷又は送信を行う請求項４又は５に記載の画像形成装置。
【請求項８】
前記原稿セット手段は、自動原稿搬送装置を備え、前記画像データは、前記自動原稿搬送装置にセットされた各原稿から前記画像入力手段により取得されたものである請求項１ないし３のうちいずれか１項に記載の画像形成装置。
【請求項９】
前記原稿セット手段は、原稿をセットするためのフラットベッドと自動原稿搬送装置とを備え、前記一の画像データと前記他の画像データは、それぞれ前記フラットベッドと前記自動原稿搬送装置にセットされた各原稿から前記画像入力手段により取得されたものである請求項１又は２に記載の画像形成装置。
【請求項１０】
前記原稿セット手段は、原稿をセットするためのフラットベッドと自動原稿搬送装置とを備え、前記１番目に取得された画像データと前記２番目以降に取得された画像データは、それぞれ前記フラットベッドと前記自動原稿搬送装置にセットされた各原稿から前記画像入力手段により順番に取得されたものである請求項３に記載の画像形成装置。
【請求項１１】
原稿をセットするための原稿セット手段と、前記原稿から画像データを取得する画像入力手段と、前記画像データを印刷又は送信する画像出力手段とを備える画像形成装置における画像形成方法であって、
前記原稿セット手段にセットされた複数の原稿から前記画像入力手段により取得された各画像データについて、一の画像データが制御用画像データである場合、当該制御用画像データに対応する画像出力条件に従って、他の画像データを前記画像出力手段により印刷又は送信することを特徴とする画像形成方法。
【請求項１２】
前記原稿セット手段にセットされた前記複数の原稿は、前記原稿セット手段に同時にセットされたものである請求項１１に記載の画像形成方法。
【請求項１３】
前記複数の原稿から取得された各画像データのうち、１番目に取得された画像データが前記制御用画像データである場合、当該制御用画像データに対応する画像出力条件に従って、２番目以降に取得された画像データを前記画像出力手段により印刷又は送信する請求項１１又は１２に記載の画像形成方法。
【請求項１４】
前記一の画像データが前記制御用画像データである場合、当該制御用画像データに対応する前記制御用ファイルを、制御用ファイルを蓄積する制御用ファイル蓄積手段から取得し、当該制御用ファイルに保持された画像出力条件に従って、他の画像データを前記画像出力手段により印刷又は送信する請求項１１又は１２に記載の画像形成方法。
【請求項１５】
前記１番目に取得された画像データが制御用画像データである場合、当該制御用画像データに対応する前記制御用ファイルを制御用ファイル蓄積手段から取得し、当該制御用ファイルに保持された画像出力条件に従って、２番目以降に取得された画像データを前記画像出力手段により印刷又は送信する請求項１３に記載の画像形成方法。
【請求項１６】
前記制御用画像データはユーザコードを含み、前記制御用画像データに含まれるユーザコードと、前記制御用画像データとは別に前記画像形成装置に入力されたユーザコードとが一致した場合に、前記画像出力条件に基づく画像データの印刷又は送信を行う請求項１１ないし１３のうちいずれか１項に記載の画像形成方法。
【請求項１７】
前記制御用ファイルはユーザコードを含み、前記制御用ファイルに含まれるユーザコードと、前記制御用ファイルとは別に前記画像形成装置に入力されたユーザコードとが一致した場合に、前記画像出力条件に基づく画像データの印刷又は送信を行う請求項１４又は１５に記載の画像形成方法。
【請求項１８】
表示手段と操作手段とを備え、
前記操作手段により画像出力条件を編集するための編集画面を前記表示手段に表示し、当該編集画面を用いて編集された当該画像出力条件に対応する制御用画像を媒体に印刷し、当該制御用画像が描画された制御用原稿を作成することを特徴とする画像形成装置。
【請求項１９】
画像出力条件に対応する制御用画像が描画された制御用原稿を手書で作成するための雛形用原稿を作成するための雛形用画像を蓄積した蓄積手段を備え、    
当該雛形用画像を媒体に印刷し、当該雛形用原稿を作成することを特徴とする画像形成装置。
【請求項２０】
前記画像出力条件に対応する制御用画像を媒体に印刷すると共に、当該画像出力条件と対応する説明用画像又は説明用刻印を媒体に印刷又は刻印して、制御用画像と説明用画像又は説明用刻印が描画又は刻印された制御用原稿を作成する請求項１８に記載の画像形成装置。
【請求項２１】
前記説明用刻印は、パンチ穴又は点字である請求項２０に記載の画像形成装置。
【請求項２２】
前記画像出力条件を含む制御用ファイルを作成し、当該制御用ファイルを蓄積手段に格納する請求項１８に記載の画像形成装置。
【請求項２３】
表示手段と操作手段とを備えた画像形成装置における画像形成方法であって、
前記操作手段により画像出力条件を編集するための編集画面を前記表示手段に表示し、当該編集画面を用いて編集された当該画像出力条件に対応する制御用画像を媒体に印刷し、当該制御用画像が描画された制御用原稿を作成することを特徴とする画像形成方法。
【請求項２４】
蓄積装置を用いる画像形成方法であって、
画像出力条件を保持する制御用画像が描画された制御用原稿を手書で作成するための雛形用原稿を作成するための雛形用画像が前記蓄積装置に蓄積されており、当該雛形用画像を媒体に印刷して、当該雛形用原稿を作成することを特徴とする画像形成方法。
【請求項２５】
前記画像出力条件に対応する制御用画像を媒体に印刷すると共に、当該画像出力条件と対応する説明用画像又は説明用刻印を媒体に印刷又は刻印して、制御用画像と説明用画像又は説明用刻印が描画又は刻印された制御用原稿を作成する請求項２３に記載の画像形成方法。
【請求項２６】
表示手段と操作手段とを備え、
前記操作手段により画像出力条件を編集するための編集画面を前記表示手段に表示し、当該編集画面を用いて編集された当該画像出力条件に対応するデータを、印刷装置に送信し、当該印刷装置に当該画像出力条件に対応する制御用画像が描画された制御用原稿を作成させることを特徴とする情報処理装置。
【請求項２７】
画像出力条件に対応する制御用画像が描画された制御用原稿を手書で作成するための雛形用原稿を作成するための雛形用画像が蓄積された蓄積手段を備え、
当該雛形用画像を印刷装置に送信して、当該印刷装置に当該雛形用原稿を作成させることを特徴とする情報処理装置。
【請求項２８】
前記画像出力条件に対応する前記データを前記印刷装置に送信すると共に、当該画像出力条件に対応する説明用画像データ又は説明用刻印データを媒体に印刷又は刻印させるために前記印刷装置に送信して、当該印刷装置に前記制御用画像と当該画像出力条件を説明する説明用画像又は説明用刻印が描画又は刻印された制御用原稿を作成させる請求項２６に記載の情報処理装置。
【請求項２９】
前記説明用刻印は、パンチ穴又は点字であることを特徴とする請求項２８に記載の情報処理装置。
【請求項３０】
前記画像出力条件を含む制御用ファイルを前記データとして作成し、当該制御用ファイルを前記印刷装置に送信する請求項２６に記載の情報処理装置。
【請求項３１】
表示手段と操作手段とを備えた情報処理装置における情報処理方法であって、
前記操作手段により画像出力条件を編集するための編集画面を前記表示手段に表示し、当該編集画面を用いて編集された当該画像出力条件に対応するデータを、印刷装置に送信し、当該印刷装置に当該画像出力条件に対応する制御用画像が描画された制御用原稿を作成させることを特徴とする情報処理方法。
【請求項３２】
画像出力条件に対応する制御用画像が描画された制御用原稿を手書で作成するための雛形用原稿を作成するための雛形用画像データを情報処理装置の蓄積手段に蓄積し、
当該雛形用画像を印刷装置に送信して、当該印刷装置に当該雛形用原稿を作成させることを特徴とする情報処理方法。
【請求項３３】
前記画像出力条件と対応する前記データを前記印刷装置に送信すると共に、当該画像出力条件と対応する説明用画像データ又は説明用刻印データを媒体に印刷又は刻印させるために前記印刷装置に送信して、当該印刷装置に前記制御用画像と当該画像出力条件を説明する説明用画像又は説明用刻印が描画又は刻印された制御用原稿を作成させる請求項３１に記載の情報処理方法。
【請求項３４】
前記画像出力条件を含む制御用ファイルを前記データとして作成し、当該制御用ファイルを前記印刷装置に送信する請求項３１に記載の情報処理方法。
【請求項３５】
原稿をセットするための原稿セット手段と、前記原稿から画像データを取得する画像入力手段と、前記画像データを印刷又は送信する画像出力手段とを備える画像形成装置に、
前記原稿セット手段にセットされた複数の原稿から前記画像入力手段により取得された各画像データについて、一の画像データが制御用画像データである場合、当該制御用画像データに対応する画像出力条件に従って、他の画像データを前記画像出力手段により印刷又は送信する手順を実行させるプログラム。
【請求項３６】
表示手段と操作手段とを備えた画像形成装置に、
前記操作手段により画像出力条件を編集するための編集画面を前記表示手段に表示する手順と、当該編集画面を用いて編集された当該画像出力条件に対応する制御用画像を媒体に印刷し、当該制御用画像が描画された制御用原稿を作成する手順とを実行させるプログラム。
【請求項３７】
表示手段と操作手段とを備えた情報処理装置に、
前記操作手段により画像出力条件を編集するための編集画面を前記表示手段に表示する手順と、当該画像出力条件と対応するデータを、印刷装置に送信し、当該印刷装置に当該画像出力条件に対応する制御用画像が描画された制御用原稿を作成させる手順とを実行させるプログラム。
【請求項３８】
請求項３５ないし３７のうちいずれか１項に記載のプログラムを記録したコンピュータ読み取り可能な記録媒体。
【発明の詳細な説明】
【技術分野】
【０００１】
本発明は、コピー、プリンタ、スキャナ、ファクシミリ、複合機、融合機等の画像形成装置、画像形成方法、パソコン等の情報処理装置、情報処理方法、情報処理プログラム、及び記録媒体に関する。
【背景技術】
【０００２】
近年、１台の機器でコピーとプリンタとスキャナとファクシミリとしての機能を実現した「複合機」や「融合機」が市販されるようになった。これらの複合機や融合機は、撮像部と印刷部と通信部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。
【０００３】
複合機や融合機には、原稿から画像データを取得させて、様々な形で出力させることができる。例えば、コピーとして機能させる場合には、画像データを印刷用紙等に印刷させて、スキャナやファクシミリとして機能させる場合には、画像データをネットワーク等を介してコンピュータ等やファクシミリ等に送信させることができる。タンデム印刷の場合には、画像データをケーブル等を介してプリンタ等に送信させることができる。なお、画像データを取得させる原稿をセットするための機構としては、ＡＤＦ（自動原稿搬送装置）やフラットベッドが一般的である。
【特許文献１】特開平５−１２０２５８号公報
【特許文献２】特開平８−１９５８６７号公報
【発明の開示】
【発明が解決しようとする課題】
【０００４】
複合機や融合機には、原稿から画像データを取得させて、様々な画像出力条件の下で出力させることができる。例えば、コピーやスキャナやファクシミリとして機能させて、画像データを拡大・縮小・分割・集約・濃度変調して印刷又は送信させることができる。例えばまた、コピーとして機能させて、両面印刷・複数枚印刷・ソート・スタック・ステープル・パンチを指定して印刷させることができる。例えばまた、スキャナやファクシミリとして機能させて、添付画像データを指定して送信させることができる。
【０００５】
画像出力条件を設定する操作を実行するための機構としては、オペレーションパネルが一般的である。しかし、オペレーションパネルにより画像出力条件を設定する操作は面倒である。例えば、複雑な画像出力条件を設定する操作を毎回実行することは面倒である。
【０００６】
したがって、本発明は、原稿から画像データを取得して、画像データを印刷又は送信する画像形成装置（例えば複合機や融合機）に関して、画像出力条件を設定する操作を簡単化することを課題とする。
【課題を解決するための手段】
【０００７】
請求項１に記載の発明は、原稿をセットするための原稿セット手段と、前記原稿から画像データを取得する画像入力手段と、前記画像データを印刷又は送信する画像出力手段とを備える画像形成装置において、前記原稿セット手段にセットされた複数の原稿から前記画像入力手段により取得された各画像データについて、一の画像データが制御用画像データである場合、当該制御用画像データに対応する画像出力条件に従って、他の画像データを前記画像出力手段により印刷又は送信することを特徴とする画像形成装置である。
【０００８】
本発明によれば、原稿から画像データを取得して、画像データを印刷又は送信する画像形成装置に関して、セットされた各原稿から取得された各画像データについて、一の画像データが制御用画像データである場合、当該制御用画像データに対応する画像出力条件の下、他の画像データを印刷又は送信するため、画像出力条件を設定する操作が簡単化される。制御用原稿をセットする操作を実行して、制御用原稿から制御用画像データを取得させる操作を実行すればよいからである。
【０００９】
請求項２に記載の発明は、請求項１の記載において、前記原稿セット手段にセットされた前記複数の原稿は、前記原稿セット手段に同時にセットされたものである。本発明によれば、画像出力条件を設定する操作が簡単化される。制御用原稿をセットする操作を実行して、制御用原稿から制御用画像データを取得させる操作を実行すればよいからである。
【００１０】
特に、制御用原稿と他の原稿を同時にセットして、制御用原稿と他の原稿から制御用画像データと他の画像データを取得させるため、制御用原稿から制御用画像データを取得させる操作と他の原稿から他の画像データを取得させる操作が一括化されて簡単化される。
【００１１】
請求項３に記載の発明は、請求項１又は２の記載において、前記複数の原稿から取得された各画像データのうち、１番目に取得された画像データが前記制御用画像データである場合、当該制御用画像データに対応する画像出力条件に従って、２番目以降に取得された画像データを前記画像出力手段により印刷又は送信するものである。
【００１２】
本発明によれば、１番目に取得された画像データが制御用画像データである場合、当該制御用画像データに対応する画像出力条件の下、２番目以降に取得された画像データを前記画像出力手段により印刷又は送信するため、画像出力条件を設定する操作が簡単化される。制御用原稿をセットする操作を実行して、制御用原稿から制御用画像データを取得させる操作を実行すればよいからである。
【００１３】
請求項４に記載の発明は、請求項１又は２の記載において、画像出力条件を保持する制御用ファイルを蓄積するための制御用ファイル蓄積手段をさらに備え、前記一の画像データが前記制御用画像データである場合、当該制御用画像データに対応する前記制御用ファイルを前記制御用ファイル蓄積手段から取得し、当該制御用ファイルに保持された画像出力条件に従って、他の画像データを前記画像出力手段により印刷又は送信するものである。
【００１４】
請求項５に記載の発明は、請求項３の記載において、画像出力条件を保持する制御用ファイルを蓄積するための制御用ファイル蓄積手段をさらに備え、前記１番目に取得された画像データが制御用画像データである場合、当該制御用画像データに対応する前記制御用ファイルを前記制御用ファイル蓄積手段から取得し、当該制御用ファイルに保持された画像出力条件に従って、２番目以降に取得された画像データを前記画像出力手段により印刷又は送信するものである。
【００１５】
請求項６に記載の発明は、請求項１ないし３のうちいずれか１項の記載において、前記制御用画像データはユーザコードを含み、前記制御用画像データに含まれるユーザコードと、前記制御用画像データとは別に前記画像形成装置に入力されたユーザコードとが一致した場合に、前記画像出力条件に基づく画像データの印刷又は送信を行うものである。
【００１６】
請求項７に記載の発明は、請求項４又は５の記載において、前記制御用ファイルはユーザコードを含み、前記制御用ファイルに含まれるユーザコードと、前記制御用ファイルとは別に前記画像形成装置に入力されたユーザコードとが一致した場合に、前記画像出力条件に基づく画像データの印刷又は送信を行うものである。
【００１７】
請求項８に記載の発明は、請求項１ないし３のうちいずれか１項の記載において、前記原稿セット手段は、自動原稿搬送装置を備え、前記画像データは、前記自動原稿搬送装置にセットされた各原稿から前記画像入力手段により取得されたものである。
【００１８】
請求項９に記載の発明は、請求項１又は２の記載において、前記原稿セット手段は、原稿をセットするためのフラットベッドと自動原稿搬送装置とを備え、前記一の画像データと前記他の画像データは、それぞれ前記フラットベッドと前記自動原稿搬送装置にセットされた各原稿から前記画像入力手段により取得されたものである。
【００１９】
請求項１０に記載の発明は、請求項３の記載において、前記原稿セット手段は、原稿をセットするためのフラットベッドと自動原稿搬送装置とを備え、前記１番目に取得された画像データと前記２番目以降に取得された画像データは、それぞれ前記フラットベッドと前記自動原稿搬送装置にセットされた各原稿から前記画像入力手段により順番に取得されたものである。
【００２０】
請求項１１〜１７に記載の発明により、上記画像形成装置に適した画像形成方法が提供される。
【００２１】
請求項１８に記載の発明は、表示手段と操作手段とを備え、前記操作手段により画像出力条件を編集するための編集画面を前記表示手段に表示し、当該編集画面を用いて編集された当該画像出力条件に対応する制御用画像を媒体に印刷し、当該制御用画像が描画された制御用原稿を作成することを特徴とする画像形成装置である。
【００２２】
本発明によれば、所望の画像合成条件を保持する制御用画像が描画された制御用原稿を印刷で作成することができる。
【００２３】
請求項１９に記載の発明は、画像出力条件に対応する制御用画像が描画された制御用原稿を手書で作成するための雛形用原稿を作成するための雛形用画像を蓄積した蓄積手段を備え、当該雛形用画像を媒体に印刷し、当該雛形用原稿を作成することを特徴とする画像形成装置である。
【００２４】
本発明によれば、所望の画像合成条件を保持する制御用画像が描画された制御用原稿を手書で作成することができる。
【００２５】
請求項２０に記載の発明は、請求項１８の記載において、前記画像出力条件に対応する制御用画像を媒体に印刷すると共に、当該画像出力条件と対応する説明用画像又は説明用刻印を媒体に印刷又は刻印して、制御用画像と説明用画像又は説明用刻印が描画又は刻印された制御用原稿を作成するものである。
【００２６】
本発明によれば、所望の画像合成条件を保持する制御用画像が描画されると共に、その画像合成条件を説明する説明用画像又は説明用刻印が描画又は刻印された制御用原稿を印刷等で作成することができる。
【００２７】
請求項２１に記載の発明は、請求項２０の記載において、前記説明用刻印は、パンチ穴又は点字であるとするものである。
【００２８】
本発明によれば、所望の画像合成条件を保持する制御用画像が描画されると共に、その画像合成条件を説明する説明用刻印であるパンチ穴又は点字が刻印された制御用原稿を印刷等で作成することができる。これにより作成される制御用原稿は、例えば視覚障害者のための制御用原稿として適している。
【００２９】
請求項２２に記載の発明は、請求項１８の記載において、前記画像出力条件を含む制御用ファイルを作成し、当該制御用ファイルを蓄積手段に格納するものである。
【００３０】
請求項２３〜２５に記載の発明により、上記画像形成装置に適した画像形成方法が提供される。
【００３１】
請求項２６に記載の発明は、表示手段と操作手段とを備え、前記操作手段により画像出力条件を編集するための編集画面を前記表示手段に表示し、当該編集画面を用いて編集された当該画像出力条件に対応するデータを、印刷装置に送信し、当該印刷装置に当該画像出力条件に対応する制御用画像が描画された制御用原稿を作成させることを特徴とする情報処理装置である。
【００３２】
本発明によれば、所望の画像合成条件を保持する制御用画像が描画された制御用原稿を印刷で作成することができる。
【００３３】
請求項２７に記載の発明は、画像出力条件に対応する制御用画像が描画された制御用原稿を手書で作成するための雛形用原稿を作成するための雛形用画像が蓄積された蓄積手段を備え、当該雛形用画像を印刷装置に送信して、当該印刷装置に当該雛形用原稿を作成させることを特徴とする情報処理装置である。
【００３４】
本発明によれば、所望の画像合成条件を保持する制御用画像が描画された制御用原稿を手書で作成することができる。
【００３５】
請求項２８に記載の発明は、請求項２６の記載において、前記画像出力条件に対応する前記データを前記印刷装置に送信すると共に、当該画像出力条件に対応する説明用画像データ又は説明用刻印データを媒体に印刷又は刻印させるために前記印刷装置に送信して、当該印刷装置に前記制御用画像と当該画像出力条件を説明する説明用画像又は説明用刻印が描画又は刻印された制御用原稿を作成させるものである。
【００３６】
本発明によれば、所望の画像合成条件を保持する制御用画像が描画されると共に、その画像合成条件を説明する説明用画像又は説明用刻印が描画又は刻印された制御用原稿を印刷等で作成することができる。
【００３７】
請求項２９に記載の発明は、請求項２８の記載において、前記説明用刻印は、パンチ穴又は点字であるとするものである。  
本発明によれば、所望の画像合成条件を保持する制御用画像が描画されると共に、その画像合成条件を説明する説明用刻印であるパンチ穴又は点字が刻印された制御用原稿を印刷等で作成することができる。これにより作成される制御用原稿は、例えば視覚障害者のための制御用原稿として適している。
【００３８】
また、請求項３０に記載の発明は、請求項２６の記載において、前記画像出力条件を含む制御用ファイルを前記データとして作成し、当該制御用ファイルを前記印刷装置に送信するというものである。
【００３９】
また、請求項３１〜３４に記載の発明は情報処理方法の発明であり、請求項３５〜３７に記載の発明はプログラムの発明であり、請求項３８に記載の発明は記録媒体の発明である。
【発明の効果】
【００４０】
本発明によれば、原稿から画像データを取得して、画像データを印刷又は送信する画像形成装置（例えば複合機や融合機）に関して、画像出力条件を設定する操作が簡単化する。
【発明を実施するための最良の形態】
【００４１】
以下、図面を参照して本発明の実施の形態について説明する。
【００４２】
（１）融合機
図１は、本発明の実施の形態の例である融合機１０１を表す。図１の融合機１０１は、種々のハードウェア１１１と、種々のソフトウェア１１２と、融合機起動部１１３により構成される。これらにより、図１の融合機１０１は、コピーやプリンタやスキャナやファクシミリとして機能する。
【００４３】
ハードウェア１１１としては、撮像部１２１と、印刷部１２２と、その他のハードウェア１２３が存在する。
【００４４】
撮像部１２１は、原稿から画像データを取得するためのハードウェアであり、コピーやスキャナやファクシミリとして機能する際に使用される。撮像部１２１は、白黒画像用のものでもカラー画像用のものでもよい。撮影部１２１は、原稿に関する機構として、原稿セット部等を備える。
【００４５】
印刷部１２２は、画像データを印刷用紙等に印刷するためのハードウェアであり、コピーやプリンタやファクシミリとして機能する際に使用される。印刷部１２２は、白黒画像用のものでもカラー画像用のものでもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙搬送機構等を備える。
【００４６】
その他のハードウェア１２３に関しては、図２において説明する。
【００４７】
ソフトウェア１１２としては、種々のアプリケーション１３１と、プラットフォーム１３２が存在する。これらは、ＵＮＩＸ（登録商標）等のＯＳ（オペレーティングシステム）によりプロセス単位で並列的に実行される。
【００４８】
アプリケーション１３１は、コピーやプリンタやスキャナやファクシミリ等の各機能に固有の情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５と、トップページエージェント用のアプリケーションであるトップページエージェントアプリ１４６が存在する。
【００４９】
プラットフォーム１３２は、アプリケーション１３１からハードウェア１１１への処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、ハードウェア１１１への処理要求の送信には、予め定義されている関数により処理要求を送信するエンジンインタフェース（ＥＮＩ）１３４を利用する。プラットフォーム１３２は、種々のコントロールサービス１５１と、システムリソースマネージャ１５２と、種々のハンドラ１５３により構成される。
【００５０】
コントロールサービス１５１は、アプリケーション１３１からハードウェア１１１への処理要求を解釈して、解釈結果に応じてハードウェア１１１の獲得要求を発生する。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、ユーザディレクトリコントロールサービス（ＵＣＳ）１６７と、システムコントロールサービス（ＳＣＳ）１６８が存在する。
【００５１】
ＮＣＳ１６１のプロセスは、ネットワーク等を介してデータ通信を行うためのＡＰＩを提供する。ＦＣＳ１６２のプロセスは、ファクシミリとして画像データ通信・画像データ取得・画像データ印刷等を行うためのＡＰＩを提供する。ＤＣＳ１６３のプロセスは、融合機１０１に蓄積されている文書データの配送に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＵＣＳ１６７のプロセスは、ユーザ情報の管理に関する制御を行う。ＳＣＳ１６８のプロセスは、システムの管理に関する制御を行う。
【００５２】
システムリソースマネージャ（ＳＲＭ）１５２は、ハードウェア１１１の獲得要求を調停して、調停結果に応じてハードウェア１１１への処理要求を実現するための制御を行う。具体的に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１に通知する。さらには、獲得要求に係るハードウェア１１１の利用スケジュールを作成して、作成結果に応じてハードウェア１１１への処理要求を実現するための制御を行う。
【００５３】
ハンドラ１５３は、上記の調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、メモリを各プロセスに割り振り、各プロセスが割り振られたメモリを管理する。
【００５４】
融合機起動部１１３は、融合機１０１の電源投入時に最初に実行される。これにより、ＵＮＩＸ（登録商標）等のＯＳが起動されて、アプリケーション１３１とプラットフォーム１３２が起動される。これらのプログラムは、ハードディスクドライブに蓄積されており、ハードディスクドライブから再生されて、メモリに起動されることになる。
【００５５】
図２は、図１の融合機１０１のハードウェア１１１を表す。ハードウェア１１１としては、コントローラ２０１と、オペレーションパネル２０２と、ＵＳＢデバイス２０３と、ＩＥＥＥ１３９４デバイス２０４と、ファクシミリコントロールユニット（ＦＣＵ）２０５と、撮像部１２１と、印刷部１２２が存在する。図２における撮像部１２１と印刷部１２２を除く構成要素が、図１における「その他のハードウェア１２３」に該当する。
【００５６】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、ＮＩＣ（ネットワークインタフェースコントローラ）２４１により構成される。
【００５７】
ＣＰＵ２１１は、種々の情報処理を実行するためのハードウェアである。例えば、ＵＮＩＸ（登録商標）等のＯＳにより、アプリケーション１３１とプラットフォーム１３２をプロセス単位で並列的に実行する。ＡＳＩＣ２１２は、画像データ処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。
【００５８】
ＭＥＭ−Ｐ２３１は、ＮＢ２２１に接続されて使用されるメモリである。ＭＥＭ−Ｃ２３２は、ＡＳＩＣ２１２に接続されて使用されるメモリである。ＨＤＤ２３３は、ＡＳＩＣ２１２に接続されて使用されるストレージであり、画像データ蓄積・文書データ蓄積・プログラム蓄積・フォントデータ蓄積・フォームデータ蓄積等を行うために使用される。ＮＩＣ２４１は、ＡＳＩＣ２１２に接続されて使用されるハードウェアであり、ネットワーク等を介してＭＡＣアドレス等を使用したデータ通信を行うために使用される。
【００５９】
オペレーションパネル２０２は、オペレータが融合機１０１に入力を行うためのハードウェア（操作部）であると共に、融合機１０１がオペレータに出力を行うためのハードウェア（表示部）である。オペレーションパネル２０２は、ＡＳＩＣ２１２に接続されている。
【００６０】
ＵＳＢデバイス２０３は、ＵＳＢ規格に準拠したケーブルを接続するためのデバイスである。ＩＥＥＥ１３９４デバイス２０４は、ＩＥＥＥ１３９４規格に準拠したケーブルを接続するためのデバイスである。これらは、タンデム印刷等を行うために使用される。ＵＳＢデバイス２０３と、ＩＥＥＥ１３９４デバイス２０４と、ファクシミリコントロールユニット２０５と、撮像部１２１と、印刷部１２２は、ＰＣＩバスによりＡＳＩＣ２１２に接続されている。
【００６１】
図３は、図１の融合機１０１の外観を表す。図３には、撮像部１２１の位置、印刷部１２２の位置、オペレーションパネル２０２の位置が図示されている。図３にはさらに、原稿をセットするための原稿セット部３０１、印刷用紙の給紙元となる給紙部３０２、印刷用紙の排紙先となる排紙部３０３が図示されている。原稿セット部３０１は、撮像部１２１の構成要素であり、給紙部３０２と排紙部３０３は、印刷部１２２の構成要素である。
【００６２】
オペレーションパネル２０２は、図４のように、タッチパネル３１１と、数字ボタン３１２と、スタートボタン３１３により構成される。融合機１０１は、原稿セット部３０１に原稿がセットされた場合、スタートボタン３１３が押されることで、撮像部１２１によりその原稿から画像データを取得する。なお、融合機１０１は、コピーとして機能する場合には、印刷部１２２によりその画像データを印刷用紙等に印刷して、スキャナやファクシミリとして機能する場合には、ＮＩＣ２４１によりその画像データをネットワーク等を介して他の電子機器に送信する。タンデム印刷の場合には、ＵＳＢデバイス２０３やＩＥＥＥ１３９４デバイス２０４によりその画像データをケーブル等を介して他の電子機器に送信する。
【００６３】
原稿セット部３０１は、ＡＤＦ（自動原稿搬送装置）３２１と、フラットベッド３２２と、フラットベッドカバー３２３により構成される。
【００６４】
ＡＤＦ３２１は、フラットベッドカバー３２３の上面部に設けられている。ＡＤＦ３２１には、複数枚の原稿を重ねて同時にセットすることができる。融合機１０１は、ＡＤＦ３２１に原稿がセットされた場合、スタートボタン３１３が押されることで、撮像部１２１によりその原稿から画像データを取得する。具体的に言うと、スタートボタン３１３が押されると、ＡＤＦ３２１は、図３の矢印のような経路で各原稿を順番に搬送して、撮像部１２１は、図３の矢印のような経路で順番に搬送される各原稿から画像データを順番に取得する。
【００６５】
フラットベッド３２２は、フラットベッドカバー３２３を開くと現れる。フラットベッド３２２は、ガラスのような透明部材により形成されており、フラットベッド３２２には、原稿を下向きにセットする。融合機１０１は、フラットベッド３２２に原稿がセットされた場合、スタートボタン３１３が押されることで、撮像部１２１によりその原稿から画像データを取得する。具体的に言うと、スタートボタン３１３が押されると、撮像部１２１は、フラットベッド３２２を介して対面する原稿から画像データを取得する。
【００６６】
（第１実施例）
図１の融合機１０１に係る第１実施例について説明する。
【００６７】
図１の融合機１０１は、ＡＤＦ３２１に複数枚の原稿が重ねて同時にセットされた場合、スタートボタン３１３が押されることで、撮像部１２１により各原稿から画像データを順番に取得する。
【００６８】
図１の融合機１０１は、ＡＤＦ３２１に重ねて同時にセットされた各原稿から撮像部１２１により順番に取得された各画像データについて、１番目に取得された画像データが制御用画像データである場合、その制御用画像データに対応する画像出力条件に従って、２番目以降に取得された画像データを印刷部１２２又はＮＩＣ２４１により印刷又は送信する。
【００６９】
例えば、コピーやスキャナやファクシミリとして機能して、２番目以降に取得された画像データを拡大・縮小・分割・集約・濃度変調して印刷部１２２又はＮＩＣ２４１により印刷又は送信する。例えばまた、コピーとして機能して、２番目以降に取得された画像データを両面印刷・複数枚印刷・ソート・スタック・ステープル・パンチを指定して印刷部１２２により印刷する。例えばまた、スキャナやファクシミリとして機能して、２番目以降に取得された画像データを添付画像データを指定してＮＩＣ２４１により送信する。
【００７０】
制御用画像データとは、制御用原稿から取得される画像データのことである。制御用原稿とは、図１の融合機１０１を制御するための制御用画像が描画された原稿のことである。図５は、制御用画像５０２が描画された制御用原稿５０１の例を表す。
【００７１】
制御用原稿５０１はここでは、図５のように、制御用画像描画領域５１１と自由描画領域５１２により構成される。制御用画像描画領域５１１は、制御用画像５０２を描画するための領域であり、自由描画領域５１２は、メモやコメント等を自由に描画するための領域である。なお、自由描画領域５１２は存在しなくても構わないが、自由描画領域５１２が存在することにより、制御用原稿５０１がユーザフレンドリなものとなる。
【００７２】
制御用画像５０２はここでは、図５のように、１６本の黒棒により構成されており、１６本の黒棒の有無により１６ビットの情報を保持している。例えば、この１６ビットの情報は、コピーとして機能して、２番目以降に取得された画像データを２頁集約で両面印刷して左にパンチするといった「画像出力条件」に対応する。
【００７３】
上記１６ビットの情報自体に画像出力条件すなわち画像出力のための設定内容を含めてもよいし、１６ビットの情報を、画像出力条件を含む制御用ファイルを識別する情報としてもよい。以下の説明では、まず、１６ビットの情報が画像出力条件を含む制御用ファイルを識別する情報である場合について説明をし、その後に、１６ビットの情報自体に画像出力条件を含める場合について説明する。
【００７４】
なお、１６本の黒棒の有無の検出精度を高くするために、１６本の黒棒の外側にガイドマークとしての黒棒２本を加えてもよい。また、黒棒の数は１６本に限られるものではない。
【００７５】
上記のように、画像出力条件を設定するためには、ＡＤＦ３２１に制御用原稿をセットする操作を実行して、制御用原稿から制御用画像データを取得させる操作（スタートボタン３１３を押す操作）を実行すればよい。これにより、画像出力条件を設定する操作が簡単化されている。
【００７６】
さらに、画像出力条件を設定して、その画像出力条件の下で画像データを印刷又は送信させるためには、ＡＤＦ３２１に制御用原稿と他の原稿を重ねて同時にセットする操作を実行して、制御用原稿と他の原稿から制御用画像データと他の画像データを取得させる操作（スタートボタン３１３を押す操作）を実行すればよい。これにより、制御用原稿から制御用画像データを取得させる操作と他の原稿から他の画像データを取得させる操作が一括化され、全体の操作が簡単化される。
【００７７】
なお、図１の融合機１０１は、１番目に取得された画像データが制御用画像データである場合、その制御用画像データに対応する画像出力条件に従って、２番目以降に取得された画像データを印刷又は送信するという画像形成処理を、常に実行するようにしてもよいし、オペレーションパネル２０２によりその旨のモードが設定されている場合にのみ実行するようにしてもよい。ちなみに、１番目に取得された画像データが制御用画像データでない場合、前者においても後者においても、通常の画像形成処理を実行するようにすればよいが、特に後者においては、エラーとなるようにしてもよい。
【００７８】
また、ＡＤＦ３２１が上から順番に原稿を搬送する場合には、１番上にセットされた原稿から取得される画像データが、１番目に取得される画像データとなるため、１番上に制御用原稿をセットするようにする。ＡＤＦ３２１が下から順番に原稿を搬送する場合には、１番下にセットされた原稿から取得される画像データが、１番目に取得される画像データとなるため、１番下に制御用原稿をセットするようにする。前者においても後者においても、制御用原稿から取得される制御用画像データは、１番目に取得される画像データであることから、制御用原稿を「トップページエージェント」とも呼ぶことにする。
【００７９】
図１の融合機１０１に係る第１実施例の詳細について、図６のフローチャートに基づいて説明する。
【００８０】
図６に示す処理の前提としてまず、ユーザが、ＡＤＦ３２１に制御用原稿と他の原稿を重ねて同時にセットする操作を実行して、スタートボタン３１３を押す操作を実行する。スタートボタン３１３が押される際に、ＡＤＦ３２１に制御用原稿と他の原稿が重ねて同時にセットされていればよいので、制御用原稿をセットしてから他の原稿をセットして、スタートボタン３１３を押してもよいし、他の原稿をセットしてから制御用原稿をセットして、スタートボタン３１３を押してもよい。
【００８１】
また、融合機１０１のＨＤＤ２３３には、予め設定した画像出力条件を保持する制御用ファイルを蓄積させておく。図７は、制御用ファイル７０１のデータフォーマットの例を表す。制御用ファイル７０１のデータフォーマットはここでは、図７のように、サブアプリ番号７１１と、画像出力条件データ定義総数７１２と、デリミッタ７１３（データ区切り）と、画像出力条件データ番号７１４と、画像出力条件データタイプ７１５と、画像出力条件データ７１６と、デリミッタ７１７（データ区切り）により構成される。制御用ファイル７０１はここでは、テキストファイルである。
【００８２】
画像出力条件データ７１６は、コピーとして機能して、２番目以降に取得された画像データを２頁集約で両面印刷して左にパンチするといった画像出力条件の具体的内容を保持している。画像出力条件データタイプ７１５は、画像出力条件データ７１６のデータタイプ（例えば、ＪＯＢ−ＭＯＤＥ構造体データ（エンジン制御用パラメータ構造体のことをＪＯＢ−ＭＯＤＥ構造体という）、ビットマップデータ、住所録等）を保持している。画像出力条件データ番号７１４は、画像出力条件データ７１６の識別番号（例えば１２ビット）を保持している。画像出力条件データ定義総数７１２は、画像出力条件データ７１６の定義総数を保持している。サブアプリ番号７１１は、画像出力条件データ７１６に関与するサブアプリ（コピーアプリ１４１等）の識別番号（４ビット）を保持している。
【００８３】
なお、制御用画像５０２はここでは、図５のように、Ａの部分の４本の黒棒の有無によりサブアプリ番号７１１を保持しており、Ｂの部分の１２本の黒棒の有無により画像出力条件データ番号７１４を保持している。すなわち、各制御用ファイル７０１と各制御用画像５０２が１対１で対応し、制御用画像が示す画像出力条件データ番号から、その制御用画像に対応する制御用ファイルを検索することができる。なお、図５において、Ａの部分は設けなくてもよい。この場合、画像出力条件データ番号から対応する制御用ファイルを取得し、そこからサブアプリ番号を取得できる。
【００８４】
図６に示すフローチャートにおいて、融合機１０１は、ＡＤＦ３２１に複数枚の原稿が重ねて同時にセットされた場合、スタートボタン３１３が押されることで、撮像部１２１により原稿から画像データを取得（ステップＳ６１）する。画像データは、ＭＥＭ−Ｐ２３１やＭＥＭ−Ｃ２３２に保持される。なお、撮像部１２１やＡＤＦ３２１に関する制御は、ＥＣＳ１６４のプロセスが行い、スタートボタン３１３に関する制御は、ＯＣＳ１６８のプロセスが行い、ＭＥＭ−Ｐ２３１やＭＥＭ−Ｃ２３２に関する制御は、ＭＣＳ１６５のプロセスが行う。
【００８５】
融合機１０１は、取得した原稿が１番目か否かを判断する（ステップＳ６２）。１番目であれば、その原稿の画像データに対し簡易ＯＭＲ処理を行い、画像データの認識（ステップＳ６３、ステップＳ６４）をする。より詳細には次のような処理を行う。
【００８６】
開始ページ：１、終了ページ：１、解像度２００ｄｐｉ、非圧縮というＪＯＢ−ＭＯＤＥ構造体メンバの設定の下、１番目に取得された画像データを、ＲＡＷファイル（独自フォーマット内部データファイルのことをＲＡＷファイルという）として保持させておく。次に、その画像データを解析可能な向きに回転する。なお、図５のような縦向きの画像データは回転せず、横向きの画像データは９０度回転する。次に、ＲＡＷファイルをＦＦＳファイルに変換する。具体的には、イメージライブラリ（画像処理関数ライブラリをイメージライブラリという）によりファイル変換処理を行う。次に、その画像データの制御用部分（図５の制御用画像描画領域５１１に対応する部分）について簡易ＯＭＲ処理（擬似ＯＭＲ処理ともいう）を行い、１６本の黒棒の有無による情報を認識する。解析結果は、ＭＥＭ−Ｐ２３１やＭＥＭ−Ｃ２３２に保持される。なお、ＭＥＭ−Ｐ２３１やＭＥＭ−Ｃ２３２に関する制御は、ＭＣＳ１６５のプロセスが行う。また、ステップＳ６２〜ステップＳ６４の処理には、トップページエージェントアプリ１４６が統括的に関与する。
【００８７】
ここで、簡易ＯＭＲ処理の詳細について、図８のフローチャートに基づいて説明する。最初に、１番目に取得された画像データの制御用部分を１ライン分リード（ステップＳ８１）する。１ラインの方向は図５の上下方向である。次に、１６本の黒棒の有無を１本分チェック（ステップＳ８２）する。ステップＳ８２の処理を、１６本分実行（ステップＳ８３・ステップＳ８４）して、ステップＳ８１〜Ｓ８３の処理を、２００ライン分実行（ステップＳ８５・ステップＳ８６）する。最後に、１６本の黒棒の有無を判断（ステップＳ８７）する。ここでは、各黒棒の有無は、２００ライン分のうち１００ライン分以上の黒棒が検出されたか否かで判断する。なお、この簡易ＯＭＲ処理は、１６本の黒棒の有無の検出精度があまり高くなくてもよいため、高速化に適していると言える。また、この簡易ＯＭＲ処理は、ＯＣＲ処理やバーコード処理のような専用ソフトウェアがなくてもよいため、低廉化に適していると言える。ここで、認識に失敗した場合にはエラーが出力される（図６のステップＳ６５）。
【００８８】
融合機１０１は、１番目に取得された制御用画像データに対応する画像出力条件を設定（ステップＳ６６）する。より詳細には次のような処理を行う。
【００８９】
１番目に取得された画像データから検出された１６本の黒棒の有無により１６ビットの情報を算出して、これと一意に対応する制御用ファイル７０１（ＨＤＤ２３３に蓄積されている）に保持された画像出力条件データに従って、融合機１０１に対する設定を行う。また、ステップＳ６６の処理には、トップページエージェントアプリ１４６が統括的に関与する。
【００９０】
融合機１０１は、上記の画像出力条件に従って、２番目以降に取得された画像データを印刷部１２２又はＮＩＣ２４１により印刷又は送信（ステップＳ６８、Ｓ６２、Ｓ６７）する。例えば、コピーとして機能して、２番目以降に取得された画像データを２頁集約で両面印刷して左にパンチする。なお、印刷部１２２に関する制御は、ＥＣＳ１６４のプロセスが行い、ＮＩＣ２４１によりデータ通信を行うためのＡＰＩは、ＮＣＳ１６１のプロセスが提供する。また、コピーとして機能する場合には、コピーアプリ１４１が関与して、スキャナとして機能する場合には、スキャナアプリ１４３が関与して、ファクシミリとして機能する場合には、ファクシミリアプリ１４４が関与する。ファクシミリとして機能する場合にはさらに、ＦＣＳ１６２のプロセスが関与する。
【００９１】
なお、融合機１０１がどのように機能するかについてもここでは、制御用画像データにより設定されるようにしているが、融合機１０１がどのように機能するかについては例えば、制御用画像データにより設定されるようにせずに、ユーザが、オペレーションパネル２０２により設定するようにしてもよい。この場合、初期設定としては例えば、コピーとして機能するように設定されているようにする。
【００９２】
融合機１０１は、ＡＤＦ３２１に原稿が残存している間、ステップＳ６７の処理を行い、原稿が終了したら処理を終了する。
【００９３】
最後に、第１実施例は、１番目に取得された画像データが制御用画像データである場合を適用対象としたが、本発明は、１番目以外に取得された画像データが制御用画像データである場合についても同様にして適用対象とすることができる。さらには、第１実施例は、同時にセットされた原稿から取得された画像データ同士を適用対象としたが、本発明は、同時性なくセットされた原稿から取得された画像データ同士についても同様に適用対象とすることができる。
【００９４】
また、１番目の制御用原稿による画像出力条件設定に加えて、その後に読み込まれた制御用原稿による設定を行うこともできる。例えば、最初の制御用原稿で、スキャンした画像をメールで送信する機能（スキャンtoメールという）を設定した後に、２枚目に読み込んだ原稿から送信先のアドレス情報を読み込むといった制御を行うことが可能である。
【００９５】
このような制御を行う場合のフローチャートを図９に示す。図９に示す処理では、まず、図６に示す場合と同様にして１番目の原稿から制御用画像データを取得し、簡易ＯＭＲ処理により画像出力条件データ番号を認識し、その番号に対応する画像出力条件を制御ファイルから取得して、それを設定する（ステップＳ９１〜Ｓ９６）。この場合の設定内容はスキャンtoメールもしくはスキャンtoＦＡＸ機能である。その後、２番目の制御用原稿を読み込み、認識をして（ステップＳ９７、Ｓ９８）、２番目の制御用原稿に記載されているアドレス情報もしくは電話番号情報を認識し、そのアドレス情報もしくは電話番号情報を保持しておく。そして、３番目以降に読み込む原稿の画像データを、認識したアドレスもしくは電話番号に送信する（ステップＳ１０１）。原稿が終了したら処理を終了する。
【００９６】
（第２実施例）
第１実施例で説明した制御用原稿を用いた処理において、ユーザコード（ユーザＩＤともいう）を用いた制御を行うことが可能である。
【００９７】
ユーザコードを含む制御用ファイルの例を図１０に示す。この例は、ＸＭＬ（Extensible Markup Language）に準拠して制御用ファイルを作成した場合の例である。図１０に示すように、ユーザコードの情報項目が含まれる。なお、図７に示す形式の制御用ファイルにユーザコードを含めたものを使用してもよい。図１０に示す他の情報項目の意味は図７に示す情報項目の意味と同じである。
【００９８】
ユーザコードを使用することにより、例えば、制御用原稿を使用する者の本人性の確認を行うことができる。すなわち、ユーザが制御用原稿の使用を許可されているか否かの確認を行うことができる。図１１に、ユーザコードを含む制御用ファイルを使用する場合の処理のフローチャートを示す。図６に示す処理と異なる点は、図１１に示す処理では、ユーザコードを入力し、そのユーザコードと、制御用ファイルに含まれるユーザコードとが一致するか否かのチェックを行う点である。
【００９９】
図１１のフローチャートにおいて、まず、ユーザは、ユーザコードをオペレーションパネルのテンキーを用いて入力する。テンキーを用いる代わりに、ユーザコードが記録されたＩＣカードを用い、そこからユーザコードを融合機１０１に読ませるようにしてもよい。また、携帯端末等からユーザコードを入力するように構成することもできる。
【０１００】
そして、融合機１０１は、図６の場合と同様の処理を行って、制御用原稿に記載された画像出力条件データ番号を認識し、その番号に対応する制御用ファイルを取得する。そして、そのファイルに含まれるユーザコードを取得する（ステップＳ１１０７）。
【０１０１】
そして、制御用ファイルに含まれるユーザコードと、最初に入力したユーザコードとが一致するか否かをチェックし（ステップＳ１１０８）、一致しなければエラー表示を行い（ステップＳ１１０９）、一致すれば、画像出力条件を設定する（ステップＳ１１１０）。その後は、図６の処理と同じ処理を行う。
【０１０２】
なお、最初にユーザコードを入力することに代えて、制御用画像データの認識が終了した後に、ユーザにユーザコードの入力を促し、入力されたユーザコードと、制御用ファイルに含まれるユーザコードとの比較をするようにしてもよい。
【０１０３】
また、ユーザコードをテンキーなどから入力する代わりに、制御用画像データにユーザコード情報を含め、制御用画像データから取得したユーザコードと、制御用ファイルに含まれるユーザコードとの比較をするようにしてもよい。
【０１０４】
なお、ユーザコードの用い方は上記の例に限られない。例えば、同じ画像出力条件データ番号を持つ制御用ファイルが複数あり、ユーザコードを指定することによって制御用ファイルが一意に特定されるような場合には、制御用ファイルを特定するためにユーザコードを使用することができる。
【０１０５】
また、特定のグループの人だけに制御用ファイルの使用を許可させる場合には、制御用ファイルにそのグループに含まれる複数のユーザの複数のユーザコードを含めるようにしてもよい。これにより、そのグループに含まれるユーザのユーザコードを入力した場合に限って制御用原稿の使用を許可するといった制御を行うことが可能となる。
【０１０６】
また、図１０の制御用ファイルの情報項目として、“パスワード”を加えてもよい。この場合、例えば、図１１のフローにおけるステップＳ１１０８の後に、ユーザにパスワードの入力を要求し、ユーザから入力されたパスワードと、制御用ファイルに含まれるパスワードとが一致した場合に、以降の処理を実行させるといった制御を行うことが可能となる。
【０１０７】
［制御用ファイルを使用しない場合］
上記の第１、第２の実施例では、制御用画像データに対応する制御用ファイルを取得し、そのファイルに含まれる画像出力条件を融合機１０１に設定するが、制御用ファイルを使用せず、制御用画像データ自体に設定内容を含めるようにしてもよい。
【０１０８】
例えば、特定のビットを特定の機能に対応させ、そのビットがＯＮであればその機能を使用するという解釈をし、その機能を画像出力条件として融合機１０１に対して設定する。
【０１０９】
この場合にも、図６に示したフローと同様の処理により画像出力を行うことができる。ただし、画像出力条件を制御用ファイルから取得せずに、制御用画像データ自体から取得する。
【０１１０】
また、図１１に示したユーザコードを使用する例では、制御用画像データに設定内容に加えてユーザコード情報を記載しておく。そして、手入力等により入力されたユーザコードと、制御用画像データから認識されたユーザコードとの比較を行うことにより、正当なユーザによる制御用原稿の使用であるかどうかを判断できる。
【０１１１】
（第３実施例）
次に、図１の融合機１０１に係る第３実施例について説明する。
【０１１２】
図１の融合機１０１は、フラットベッド３２２とＡＤＦ３２１に原稿が同時にセットされた（フラットベッド３２２には、１枚の原稿が下向きにセットされたとする。ＡＤＦ３２１には、複数枚の原稿が重ねて同時にセットされたとする）場合、スタートボタン３１３が押されることで、まず、撮像部１２１によりフラットベッド３２２にセットされた原稿から画像データを取得して、次に、撮像部１２１によりＡＤＦ３２１にセットされた各原稿から画像データを順番に取得する。よって、フラットベッド３２２にセットされた原稿から取得される画像データが、１番目に取得される画像データとなり、ＡＤＦ３２１にセットされた各原稿から取得される各画像データが、２番目以降に取得される画像データとなる。
【０１１３】
図１の融合機１０１は、フラットベッド３２２とＡＤＦ３２１に同時にセットされた各原稿から順番に取得された各画像データについて、１番目に取得された画像データが制御用画像データである場合、その制御用画像データに対応する画像出力条件に従って、２番目以降に取得された画像データを印刷部１２２又はＮＩＣ２４１により印刷又は送信する。すなわち、フラットベッド３２２にセットされた原稿から取得された画像データが制御用画像データである場合、その制御用画像データに対応する画像出力条件に従って、ＡＤＦ３２１にセットされた各原稿から取得された各画像データを印刷又は送信する。これにより、第１、第２の実施の形態で説明した処理と同様の処理を行うことができる。
【０１１４】
このように、第３実施例では、画像出力条件を設定するためには、フラットベッド３２２に制御用原稿をセットする操作を実行して、制御用原稿から制御用画像データを取得させる操作（スタートボタン３１３を押す操作）を実行すればよい。これにより、画像出力条件を設定する操作が簡単化されている。
【０１１５】
さらに、画像出力条件を設定して、その画像出力条件の下で画像データを印刷又は送信させるためには、フラットベッド３２２とＡＤＦ３２１にそれぞれ制御用原稿と他の原稿を同時にセットする操作を実行して、制御用原稿と他の原稿から制御用画像データと他の画像データを取得させる操作（スタートボタン３１３を押す操作）を実行すればよい。これにより、制御用原稿から制御用画像データを取得させる操作と他の原稿から他の画像データを取得させる操作が一括化されて簡単化されている。
【０１１６】
第３実施例では、最初に読み込まれる制御用原稿をＡＤＦ３２１ではなくフラットベッド３２２に置く点が第１、第２実施例と異なるが、実質的な処理の内容は第１、第２実施例と同じである。
【０１１７】
（第４実施例）
次に、図１の融合機１０１に係る第４実施例について説明する。第４実施例では、制御用原稿、及び制御用ファイルの作成方法の例について説明する。
【０１１８】
融合機１０１には、図２に示すように、オペレーションパネル２０２が存在する。オペレーションパネル２０２は、オペレータが融合機１０１に入力を行うためのハードウェア（操作部）であると共に、融合機１０１がオペレータに出力を行うためのハードウェア（表示部）である。
【０１１９】
オペレーションパネル２０２には、図４に示すように、タッチパネル３１１が存在する。タッチパネル３１１は、オペレータが融合機１０１にタッチ操作で入力を行うためのハードウェア（タッチ操作部）であると共に、融合機１０１がオペレータに画面表示で出力を行うためのハードウェア（画面表示部）である。
【０１２０】
融合機１０１は、タッチパネル３１１（画面表示部）に表示された編集画面でタッチパネル３１１（タッチ操作部）により画像出力条件を編集するようなユーザインタフェースを提供することができる。図１２は、編集画面９０１を表す。編集画面９０１は、機能ウィンドウ９１１と、条件ウィンドウ９１２と、プロパティウィンドウ９１３と、制御用原稿作成ボタン９２１と、雛形用原稿作成ボタン９２２と、説明ボタン９２３、ユーザコード入力ボタン９２４により構成される。
【０１２１】
機能ウィンドウ９１１には、コピー・プリンタ・スキャナ・ファクシミリと描画された機能ボタンが収容されている。ある機能ボタンがタッチされると、その機能ボタンがＯＮとなり、その機能ボタンに係る機能が画像出力条件に含まれることになる。図１２では、コピーボタンがＯＮとなっている。なお、各機能ボタンのＯＮ／ＯＦＦ情報は、ＭＥＭ−Ｐ２３１やＭＥＭ−Ｃ２３２に保持される。
【０１２２】
条件ウィンドウ９１２には、拡大・縮小・分割・集約・濃度変調・両面印刷・複数枚印刷・ソート・スタック・ステープル・パンチと描画された条件ボタンが収容されている。ある条件ボタンがタッチされると、その条件ボタンがＯＮとなり、その条件ボタンに係る条件が画像出力条件に含まれる。図１２では、集約ボタンと両面印刷ボタンとパンチボタンがＯＮとなっている。なお、各条件ボタンのＯＮ／ＯＦＦ情報は、ＭＥＭ−Ｐ２３１やＭＥＭ−Ｃ２３２に保持される。
【０１２３】
プロパティウィンドウ９１３には、条件ウィンドウ９１２に収容されている条件ボタンに関して、ある条件ボタンがＯＮとなると、その条件ボタンに係る条件が表示される。図１２では、条件「集約」と「両面印刷」と「パンチ」が表示されている。さらに、ある条件ボタンがＯＮとなると、その条件ボタンに係る条件がプロパティボタンと共に表示される。図１２では、条件「集約」がプロパティボタン「２頁」と「４頁」と「８頁」と「１６頁」と共に、条件「パンチ」がプロパティボタン「上」と「下」と「右」と「左」と共に表示されている。ここで、あるプロパティボタンがタッチされると、そのプロパティボタンがＯＮとなり、そのプロパティボタンに係るプロパティが画像出力条件に含まれる。図１２では、２頁集約ボタンと左パンチボタンがＯＮとなっている。なお、各プロパティボタンのＯＮ／ＯＦＦ情報は、ＭＥＭ−Ｐ２３１やＭＥＭ−Ｃ２３２に保持される。
【０１２４】
このように、機能ボタンや条件ボタンやプロパティボタンをＯＮとすることにより、画像出力条件を編集することができる。すなわち、ある機能ボタン・条件ボタン・プロパティボタンをＯＮとなると、その機能ボタン・条件ボタン・プロパティボタンに係る機能・条件・プロパティが画像出力条件となる。
【０１２５】
また、ユーザコード入力ボタンをタッチすることにより、ユーザコード入力が可能となる。入力されたユーザコードは制御用ファイルに含められることになる。なお、ユーザコードは１つに限らず、複数入力することも可能である。
【０１２６】
上記のようにして設定した画像出力条件が、画像出力条件データとして制御用ファイルに格納されることになる。なお、制御用ファイルにおける画像出力条件データ番号は、制御用ファイルに一意に対応して自動的に付与されるが、画像出力条件データ番号をユーザが入力してもよい。
【０１２７】
上記にような編集画面による設定から制御用原稿、制御用ファイル作成までの処理は図１３のフローチャートに沿って行われる。
【０１２８】
まず、図１２の編集画面による編集を行う（ステップＳ１３０１）。編集終了後、制御用原稿作成ボタン９２１がタッチされると、編集された画像出力条件に対応する画像出力条件データ番号が付与され、その番号に対応する情報が制御用画像として印刷され、制御用原稿が作成される（ステップＳ１３０２、ステップＳ１３０３）。さらに、画像出力条件データ、画像出力条件データ番号、ユーザコード等を含む制御用ファイルがＨＤＤ２３３やメモリに格納される（ステップＳ１３０４）。上記の処理において、ステップＳ１３０４の後にステップＳ１３０３を実行してもよい。
【０１２９】
なお、制御用ファイルを用いない場合には、制御用原稿作成ボタン９２１がタッチされると、編集された画像出力条件に対応する設定内容が制御用画像として印刷され、制御用原稿が作成される。
【０１３０】
図１２の編集画面において、雛形用原稿作成ボタン９２２がタッチされると、ＨＤＤ２３３に蓄積されている雛形用画像データを印刷部１２２により印刷して雛形用原稿を作成する。雛形用原稿とは、制御用原稿を手書で作成するための原稿である。図１４は、雛形用原稿１００１を表す。雛形用原稿１００１はここでは、図５の制御用原稿５０１を手書で作成するための原稿であり、制御用画像描画領域５１１を示すための境界線１０１１と、自由描画領域５１２を示すための境界線１０１２が描画されている。これらの点線を目安にして、１６本の黒棒やメモやコメント等を描画するのである。このようにして、所望の画像出力条件を保持する制御用画像が描画された制御用原稿を手書で作成することができる。
【０１３１】
なお、雛形用画像データとは、このような雛形用原稿を印刷で作成するための画像データである。雛形用画像データはここでは、ＨＤＤ２３３に蓄積させておく。
【０１３２】
説明ボタン９２３は、印刷ボタンとパンチボタンと点字ボタンにより構成される。印刷ボタン・パンチボタン・点字ボタンがそれぞれタッチされると、印刷ボタン・パンチボタン・点字ボタンがそれぞれＯＮとなる。なお、印刷ボタン・パンチボタン・点字ボタンのＯＮ／ＯＦＦ情報は、ＭＥＭ−Ｐ２３１やＭＥＭ−Ｃ２３２に保持される。
【０１３３】
融合機１０１は、印刷ボタンがＯＮの状態で制御用原稿作成ボタン９２１がタッチされると、制御用画像データを印刷部１２２により印刷すると共に、その画像出力条件と対応する説明用画像データを印刷部１２２により印刷する。これにより、制御用画像と説明用画像を含む制御用原稿を作成する。
【０１３４】
融合機１０１は、パンチボタンがＯＮの状態で制御用原稿作成ボタン９２１がタッチされると、制御用画像データを印刷部１２２により印刷すると共に、その画像出力条件と対応する説明用刻印データを印刷部１２２により刻印する。これにより、制御用画像と説明用刻印であるパンチ穴を含む制御用原稿を作成する。
【０１３５】
融合機１０１は、点字ボタンがＯＮの状態で制御用原稿作成ボタン９２１がタッチされると、制御用画像データを印刷部１２２により印刷すると共に、その画像出力条件と対応する説明用点字データを印刷部１２２により刻印して、これにより、制御用画像と説明用刻印である点字を含む制御用原稿を作成する。
【０１３６】
図１５は、制御用画像データが印刷されると共に、説明用画像データが印刷されて作成された制御用原稿５０１を表す。図１１の制御用原稿５０１は、図５の制御用原稿５０１と同様に、制御用画像描画領域５１１と自由描画領域５１２により構成される。図１１の制御用原稿５０１には、図５の制御用原稿５０１と同様に、その制御用画像描画領域５１１に制御用画像５０２が描画されている。図１１の制御用原稿５０１には、これに加えて、その自由描画領域５１２に説明用画像５０３が描画されている。
【０１３７】
図１５では、制御用画像５０２は、コピーとして機能して、２番目以降に取得された画像データを２頁集約で両面印刷して左にパンチするといった画像出力条件に対応し、説明用画像５０３は、その画像出力条件を文字や図形で説明している。
【０１３８】
なお、各制御用画像５０２と各説明用画像５０３を１対１で対応させるために、説明用画像データはここでは、制御用ファイルに保持させて、ＨＤＤ２３３に蓄積させておく。    
また、説明用画像データを印刷して、説明用画像５０３が描画された制御用原稿５０１を作成するのと同様にして、説明用刻印データを刻印して、説明用刻印５０４であるパンチ穴や点字が刻印された制御用原稿５０１を作成することもできる。図１５の制御用原稿５０１には、その自由描画領域５１１に説明用刻印５０４である２個のパンチ穴が刻印されている。図１５では、制御用刻印５０４である２個のパンチ穴は、コピーとして機能するといった画像出力条件を２個のパンチ穴で説明している。コピーとプリンタとスキャナとファクシミリが、パンチ穴の個数で区別されているのである。これにより作成される制御用原稿は、例えば視覚障害者のための制御用原稿として適している。これを有意義なものとするため、各実施例において、融合機１０１は、各種の音声ガイダンスを提供するようにしてもよい。
【０１３９】
なお、第４実施例において、タッチパネル３１１に関する制御は、ＯＣＳ１６８のプロセスが行い、ＭＥＭ−Ｐ２３１やＭＥＭ−Ｃ２３２やＨＤＤ２３３に関する制御は、ＭＣＳ１６５のプロセスが行い、印刷部１２２に関する制御は、ＥＣＳ１６４のプロセスが行い、ＮＩＣ２４１によりデータ通信を行うためのＡＰＩは、ＮＣＳ１６１のプロセスが提供する。
【０１４０】
また、第４実施例において、編集画面９０１に係る処理には、トップページエージェントアプリ１４６が統括的に関与する。
【０１４１】
最後に、制御用原稿のメリットについて考察する。複合機や融合機には、原稿から画像データを取得させて、様々な画像出力条件の下で出力させることができる。それにもかかわらず、各個人が設定する画像出力条件のバリエーションは、少数であると考察される。すなわち、同一の画像出力条件を設定することが多いと考察される。そこで、各個人が所望の画像出力条件と対応する制御用原稿を作成しておくようにすれば、オペレーションパネルにより同一の画像出力条件を設定する負担から開放されるのである。
【０１４２】
（２）パソコン
図１６は、本発明の実施の形態であるパソコン１２０１を表す。図１６のパソコン１２０１は、パソコン本体１２１１と、ディスプレイ１２１２と、キーボード１２１３と、マウス１２１４により構成される。
【０１４３】
パソコン本体１２１１は、ＣＰＵ１２２１と、ネットワークボード１２２２と、ＲＡＭ１２２３と、ＨＤＤ１２２４により構成される。ＨＤＤ１２２４には、ＯＳ１２３１と、アプリケーション１２３２が蓄積されている。ＯＳ１２３１は、例えばＵＮＩＸ（登録商標）であり、アプリケーション１２３２は、画像出力条件をユーザに編集させ、その内容を融合機１０１に送信し、制御用画像を融合機１０１に印刷させる機能を含む。
【０１４４】
パソコン１２０１は、第４実施例と同様にして、ディスプレイ１２１２に表示された、図１２に示すものと同様の編集画面９０１でキーボード１２１３やマウス１２１４により画像出力条件を編集するようなユーザインタフェースを提供することができる。編集画面９０１は、機能ウィンドウ９１１と、条件ウィンドウ９１２と、プロパティウィンドウ９１３と、制御用原稿作成ボタン９２１と、雛形用原稿作成ボタン９２２と、説明ボタン９２３、ユーザコード入力ボタン９２４により構成される。
【０１４５】
機能ウィンドウ９１１や、条件ウィンドウ９１２や、プロパティウィンドウ９１３は、第４実施例と同様のものである。各機能ボタンや、各条件ボタンや、各プロパティボタンのＯＮ／ＯＦＦ情報は、ＲＡＭ１２２３に保持される。
【０１４６】
パソコン１２０１は、制御用原稿作成ボタン９２１がクリックされると、編集された画像出力条件に対応する制御用ファイルを作成し、融合機１０１に送信する。そして、融合機１０１はその制御用ファイルを格納するとともに、制御用画像データ（画像出力条件データ番号に対応する情報）を印刷して制御用原稿を作成する。なお、パソコン１２０１側で、制御用画像データを作成し、その印刷を融合機１０１に指示してもよい。
【０１４７】
また、制御用ファイルを使用しない場合には、パソコン１２０１は、画像出力条件データもしくはそれに対応する制御用画像データを融合機１０１に送信し、印刷をさせる。なお、この場合、印刷に用いる機器は融合機１０１以外の一般的なプリンターでもよい。
【０１４８】
また、パソコン１２０１は、雛形用原稿作成ボタン９２２がクリックされると、ＨＤＤ１２２４に蓄積されている雛形用画像データを、融合機１０１に印刷させるためにネットワークボード１２２２により送信して、雛形用原稿を融合機１０１に作成させる。
【０１４９】
説明ボタン９２３は、印刷ボタンとパンチボタンと点字ボタンにより構成される。印刷ボタン・パンチボタン・点字ボタンはそれぞれ、第４実施例と同様のものである。印刷ボタン・パンチボタン・点字ボタンのＯＮ／ＯＦＦ情報は、ＲＡＭ１２２３に保持される。
【０１５０】
パソコン１２０１は、印刷ボタンがＯＮの状態で制御用原稿作成ボタン９２１がクリックされると、制御用ファイルに説明用画像データを含め、融合機１０１に送信する。融合機１０１は、説明用画像データを用いて説明用画像が描画された制御用原稿を作成する。
【０１５１】
また、パソコン１２０１は、パンチボタンがＯＮの状態で制御用原稿作成ボタン９２１がクリックされると、説明用刻印データを含む制御用ファイルを融合機１０１に送信する。融合機１０１は、説明用刻印であるパンチ穴が刻印された制御用原稿を作成する。
【０１５２】
また、パソコン１２０１は、点字ボタンがＯＮの状態で制御用原稿作成ボタン９２１がクリックされると、説明用刻印データを含む制御用ファイルを融合機１０１に送信する。そして、融合機１０１は、説明用刻印である点字が刻印された制御用原稿を作成する。
【０１５３】
上記の例において、制御用ファイルをネットワーク経由で融合機１０１に送信する代わりに、ＳＤカード等のＩＣカードに制御用ファイルを格納し、それを用いて制御用ファイルを融合機１０１に格納してもよい。
【０１５４】
なお、編集画面９０１に係る処理には、アプリケーション１２３２が統括的に関与する。アプリケーション１２３２が、ディスプレイ１２１２に表示された編集画面９０１でキーボード１２１３やマウス１２１４により画像出力条件を編集するためのユーザインタフェースを提供する。アプリケーション１２３２が融合機１０１にデータの印刷をさせる場合、アプリケーション１２３２は融合機１０１用のプリンタドライバと同様のプログラムを含む。
【０１５５】
なお、各実施例で説明したアプリケーションプログラムは、コンピュータ読取可能な記録媒体（例えば、ＣＤ−ＲＯＭやＤＶＤ−ＲＯＭ、ＩＣカード等）に格納し、配布することが可能である。
【０１５６】
なお、本発明は、上記の実施の形態に限定されることなく、特許請求の範囲内において、種々変更・応用が可能である。
【図面の簡単な説明】
【０１５７】
【図１】本発明の実施の形態の例である融合機を表す。
【図２】図１の融合機のハードウェアを表す。
【図３】図１の融合機の外観を表す。
【図４】オペレーションパネルを表す。
【図５】制御用画像が描画された制御用原稿を表す。
【図６】第１実施例に係るフローチャートである。
【図７】第１実施例に係る制御用ファイルのデータフォーマットを表す。
【図８】簡易ＯＭＲ処理に係るフローチャートである。
【図９】第１実施例における他の例のフローチャートである。
【図１０】第２実施例に係る制御用ファイルのデータフォーマットを表す。
【図１１】第２実施例に係るフローチャートである。
【図１２】編集画面を表す。
【図１３】第４実施例に係るフローチャートである。
【図１４】雛形用原稿を表す。
【図１５】制御用画像が描画されると共に説明用画像が描画された制御用原稿を表す。
【図１６】本発明の実施の形態の例であるパソコンを表す。
【符号の説明】
【０１５８】
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１４６  トップページエージェントファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  ユーザディレクトリコントロールサービス
１６８  システムコントロールサービス
１７１  ファクシミリコントロールユニットハンドラ
１７２  イメージメモリハンドラ
２０１  コントローラ
２０２  オペレーションパネル
２０３  ＵＳＢデバイス
２０４  ＩＥＥＥ１３９４デバイス
２０５  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２４１  ＮＩＣ
３０１  原稿セット部
３０２  給紙部
３０３  排紙部
３１１  タッチパネル
３１２  数字ボタン
３１３  スタートボタン
３２１  ＡＤＦ
３２２  フラットベッド
３２３  フラットベッドカバー
５０１  制御用原稿
５０２  制御用画像
５０３  説明用画像
５０４  説明用刻印
５１１  制御用画像描画領域
５１２  自由描画領域
７０１  制御用ファイル
７１１  サブアプリ番号
７１２  画像出力条件データ定義総数
７１３  デリミッタ
７１４  画像出力条件データ番号
７１５  画像出力条件データタイプ
７１６  画像出力条件データ
７１７  デリミッタ
９０１  編集画面
９１１  機能ウィンドウ
９１２  条件ウィンドウ
９１３  プロパティウィンドウ
９２１  制御用原稿作成ボタン
９２２  雛形用原稿作成ボタン
９２３  説明ボタン
９２４  ユーザコード入力ボタン
１００１  雛形用原稿
１０１１  制御用画像描画領域を示すための境界線
１０１２  自由描画領域を示すための境界線
１２０１  パソコン
１２１１  パソコン本体
１２１２  ディスプレイ
１２１３  キーボード
１２１４  マウス
１２２１  ＣＰＵ
１２２２  ネットワークボード
１２２３  ＲＡＭ
１２２４  ＨＤＤ
１２３１  ＯＳ
１２３２  アプリケーション
【図１】
2004242295.tif 000003
【図２】
2004242295.tif 000004
【図３】
2004242295.tif 000005
【図４】
2004242295.tif 000006
【図５】
2004242295.tif 000007
【図６】
2004242295.tif 000008
【図７】
2004242295.tif 000009
【図８】
2004242295.tif 000010
【図９】
2004242295.tif 000011
【図１０】
2004242295.tif 000012
【図１１】
2004242295.tif 000013
【図１２】
2004242295.tif 000014
【図１３】
2004242295.tif 000015
【図１４】
2004242295.tif 000016
【図１５】
2004242295.tif 000017
【図１６】
2004242295.tif 000018